(57)【要約】      （修正有）【課題】ゴミ収集作業に好適で、指先部が補強によって固くならず、曲げやすい作業手袋を提供する。【解決手段】作業用手袋は、メリヤス生地からなり親指部と人差指部と中指部と薬指部と小指部を有する手袋本体と、手袋本体の各指部に重ねて縫製され、各指先部の腹側を覆うように被着されるメリヤス生地の第１補強材７ａ〜７ｅと、手袋本体の各指部に重ねて縫製され、第１補強材より被覆長さが短く、各指先部の爪側を覆うように被着されるメリヤス生地の第２補強材８ａ〜８ｅと、親指部と前記人差指部の股間に被着されるメリヤス生地の第３補強材９と、手袋本体に縫製され、メリヤス編みのジャージーからなる袖口体１０と、縫製された手袋本体と第１補強材乃至第３補強材を外側から覆うニトリルゴム被覆材１１と、が備えられる。【選択図】図１
0003161624.tif 000002
【実用新案登録請求の範囲】
【請求項１】
メリヤス生地からなり親指部と人差指部と中指部と薬指部と小指部を有するメリヤス原手と、
各指先部の腹側を覆うように被着されるメリヤス生地の第１補強材と、
前記第１補強材より被覆長さが短く、各指先部の爪側を覆うように被着されるメリヤス生地の第２補強材と、
前記親指部と前記人差指部の股間に被着されるメリヤス生地の第３補強材と、
前記メリヤス原手の下部に縫製され、ジャージーからなる袖口体と、
前記第１補強材乃至前記第３補強材が被着された前記メリヤス原手の外側を覆うニトリルゴム被覆材と、が備えられることを特徴とする作業用手袋。
【請求項２】
前記ニトリルゴム被覆材は、蛍光色の黄色であることを特徴とする請求項１に記載の作業用手袋。
【考案の詳細な説明】
【技術分野】
【０００１】
本考案は、作業用手袋に係り、より詳細には、ゴミ収集作業に好適な作業用手袋に関する。
【背景技術】
【０００２】
ゴミ収集に使用する作業用手袋は、重いゴミ袋をつかんで持ち上げる場合や、調理用の油の付いたビンをつかむ場合や、ガラスの破片と接触する場合や、刃物や串先などの危険物に刺さる場合や、さらには地面に散らばったごみを集めるため指先が地面を擦る場合などがあるので、指先を保護すると共に、耐油性や耐摩耗性に優れた作業用手袋が求められている。
【０００３】
特許文献１には、軍手の各指先部に、補強部材を被着した作業用手袋が示されている。補強材には、ゴム材、樹脂材、皮革、布などが使用される。補強材を被着しても層は２層になるだけで、指先が曲がりにくくなるほどの影響は出ない。しかしながら、このような作業用手袋は、耐油性や耐摩耗性がなく、ゴミ収集などを行なう作業用手袋としては適していない。
【０００４】
綿製の手袋をゴム液に浸漬して外側をゴム層とした手袋がある。手袋の指先部を補強するため、さらに指先部をポリウレタン液などに浸漬して、厚みを増すことも行なわれる。この場合、外側をゴム層としたので耐油性や耐摩耗性を有するものの、手袋の指先部が綿層、外ゴム層、補強層の３層構造となるので、補強層の浸漬の深さを浅くすると指先の腹部を十分に保護できず、補強層の浸漬の深さを深くすると指先の第１関節が曲げにくいものとなり、物をつかむ時の把持力を十分に発揮できない。
【先行技術文献】
【特許文献】
【０００５】
【特許文献１】実用新案登録第３１０７６８３号公報
【考案の概要】
【考案が解決しようとする課題】
【０００６】
本考案の目的は、ゴミ収集作業に好適で、指先部が補強によって固くならず、曲げやすい作業用手袋を提供することにある。
【課題を解決するための手段】
【０００７】
上記の目的を達成するため、本考案による作業用手袋は、メリヤス生地からなり親指部と人差指部と中指部と薬指部と小指部を有するメリヤス原手と、各指先部の腹側を覆うように被着されるメリヤス生地の第１補強材と、前記第１補強部材より被覆長さが短く、各指先部の爪側を覆うように被着されるメリヤス生地の第２補強材と、前記親指部と前記人差指部の股間に被着されるメリヤス生地の第３補強材と、前記メリヤス原手に縫製され、メリヤスのジャージーからなる袖口体と、前記第１補強材乃至前記第３補強材が被着された前記メリヤス原手の外側を覆うニトリルゴム被覆材と、が備えられることを特徴とする。
【０００８】
前記ニトリルゴム被覆材は、蛍光色の黄色であることを特徴とする。
【考案の効果】
【０００９】
本考案による作業用手袋によれば、メリヤス原手の各指先部の腹側を覆うように被着されるメリヤス生地の第１補強材と、第１補強材より被覆長さが短く、各指先部の爪側を覆うように被着されるメリヤス生地の第２補強材とを設けたので、第２補強材が指の先端の第１関節にかからないので、３層構造にならず指の先端の第１関節を曲げやすくできる。第１補強材が指の腹側を覆っているので、突き刺しや切り傷からも指を保護できる。親指部と人差指部の股間に第３補強材を設けたので、親指の付け根部分を保護するとともに、手袋の耐久性を増すことができる。第１補強材〜第３補強材が被着されたメリヤス原手の外側をニトリルゴム被覆材で覆ったので、耐油性や耐摩耗性を得ることができる。突き刺しにも強い。ジャージーの袖口体は伸縮性があって手首からずれ落ちないようにできる。
【００１０】
ニトリルゴム被覆材の色を蛍光色の黄色としたので、薄暗いところでも目立つようにできる。交通の頻繁な場所でのゴミ収集作業の安全性を向上できる。
【図面の簡単な説明】
【００１１】
【図１】本考案による作業用手袋の正面図である。
【図２】図１のＡ−Ａ断面図である。
【図３】図１の作業用手袋のメリヤス原手と袖口体の斜視図である。
【図４】図１の作業用手袋の第１〜３補強材の斜視図である。
【考案を実施するための形態】
【００１２】
以下、図面を参照にして本考案による作業用手袋について説明する。
【実施例】
【００１３】
図１は、本考案による作業用手袋の正面図である。作業用手袋５０は、図１の左側に示す左手用手袋５０ａと、図１の右側に示す右手用手袋５０ｂからなる。作業用手袋５０は、手袋本体１と袖口体１０からなる。袖口体１０は、メリヤス編みのジャージーで、手袋本体１の下部に縫製される。袖口体１０の色は、目立つように赤色とした。手袋本体１は、親指部２、人差指部３、中指部４、薬指部５、小指部６を有する。手袋本体１は、メリヤス原手２０（図３参照）にメリヤス生地の第１補強材７、第２補強材８、第３補強材９を被着し、その外側を浸漬によってニトリルゴム被覆材１１で覆ったものである。ニトリルゴム被覆材１１の色は、蛍光色の黄色、具体的にはレモンイエローとした。これにより、薄暗い場所でも目立つようにできる。ニトリルゴム（ＮＢＲ）は、耐オゾン性や耐寒性はやや劣るものの、耐油性に優れており加工性もよい。
【００１４】
手袋本体１の各指先部の腹側には、親指腹側用の第１補強材７ａ、人差指腹側用の第１補強材７ｂ、中指腹側用の第１補強材７ｃ、薬指腹側用の第１補強材７ｄ、小指腹側用の第１補強材７ｅからなる第１補強材７が被着される。また、手袋本体１の各指先部の爪側には、親指爪側用の第２補強材８ａ、人差指爪側用の第２補強材８ｂ、中指爪側用の第２補強材８ｃ、薬指爪側用の第２補強材８ｄ、小指爪側用の第２補強材８ｅからなる第２補強材８が被着される。親指部２と人差指部３の股間には、第３補強材９が被着される。
【００１５】
図２は、図１のＡ−Ａ断面図である。人差指が挿入された状態の指先を示す。指先部の腹側は、例えばメリヤス原手２０と人差指腹側用の第１補強材７ｂとニトリルゴム被覆材１１の３層で構成される。指先部の爪側は、メリヤス原手２０と人差指爪側用の第２補強材８ｂとニトリルゴム被覆材１１の３層で構成される。人差指腹側用の第１補強材７ｂは、被覆長さＬ１が挿入された人差指の腹を覆うような長さとしている。これにより腹側を保護することもできる。人差指爪側用の第２補強材８ｂは、被覆長さＬ２が人差指腹側用の第１補強材７ｂより短く、挿入された人差指の爪を覆うような長さとしている。このため、指先を第１関節１２で示す箇所で曲げた場合、第１関節１２の上側は２層であるため、曲げやすいものとできる。
【００１６】
図３は、図１の作業用手袋５０のメリヤス原手と袖口体の斜視図である。図３のメリヤス原手２０は図１の左手用手袋５０ａのものを示す。メリヤス原手２０はメリヤス３２番の糸を使用した生地で、綿１００％のものである。親指部２が２枚の裁断片で、他の指部と手の平と手の甲は１枚の裁断片からなる。親指部２を縫製して取付け孔１３に縫い付ける。袖口体１０は、伸縮性の出るように編んだメリヤスのジャージーで、筒状のものを折り返して２枚重ねしたものである。これをメリヤス原手２０の下部に縫い付ける。
【００１７】
図４は、図１の作業用手袋の第１〜３補強材の斜視図である。図４の第１〜３補強材は、左手用手袋５０ａのものである。第１補強材７はメリヤス原手２０の各指部の腹側に縫製されるメリヤス生地で、引き延ばされた半円形の形状をしている。第２補強材８は、メリヤス原手２０の各指部の爪側に縫製されるメリヤス生地で、第１補強材７よりは被着長さが短く、引き延ばされた半円形の形状をしている。メリヤス原手２０の各指部を縫製する際、一緒に縫製される。第３補強材９は、細長い形状で、メリヤス原手２０の縫製後、親指部２と人差指部３の股間に接着剤で貼り付けている。
【００１８】
これに限られるものではないが、作業用手袋５０の長さは約２７０ｍｍ、袖口体１０の長さは６０ｍｍとした。手袋本体１は、例えば親指部２の長さを５８〜６０ｍｍと変化させて、Ｍ、Ｌ、ＬＬサイズの３種類を提供することができる。
【産業上の利用可能性】
【００１９】
本考案による作業用手袋は、外側をニトリルゴムとし、指先部の曲がりやすさが損なわれないように補強したので、ゴミ収集作業など手の把持力を必要とする作業に好適である。
【符号の説明】
【００２０】
１    手袋本体
２    親指部
３    人差指部
４    中指部
５    薬指部
６    小指部
７    第１補強材
７ａ    親指腹側用の第１補強材
７ｂ    人差指腹側用の第１補強材
７ｃ    中指腹側用の第１補強材
７ｄ    薬指腹側用の第１補強材
７ｅ    小指腹側用の第１補強材
８    第２補強材
８ａ    親指爪側用の第２補強材
８ｂ    人差指爪側用の第２補強材
８ｃ    中指爪側用の第２補強材
８ｄ    薬指爪側用の第２補強材
８ｅ    小指爪側用の第２補強材
９    第３補強材
１０    袖口体
１１    ニトリルゴム被覆材
１２    第１関節
１３    取付け孔
２０    メリヤス原手
５０    作業用手袋
５０ａ    左手用手袋
５０ｂ    右手用手袋
Ｌ１、Ｌ２    被覆長さ
【図１】
0003161624.tif 000003
【図２】
0003161624.tif 000004
【図３】
0003161624.tif 000005
【図４】
0003161624.tif 000006